(57)【特許請求の範囲】
【請求項１】
複数の切断刃を有するカッター装置をウェブの走行経路中に配置してウェブを所定幅に切断するスリッターの切断位置を変更する方法であって、それぞれ異なるパターンで切断刃を並べた４つの切断列を回転軸の周りに配置してなるカッター装置を使用し、各切断列の切断刃を回転軸の回動によりウェブに挿脱可能としておき、目的の切断列をウェブ面に向けるようにカッター装置の回転軸を回動させることにより切断位置の変更を行うようにしたことを特徴とするスリッターの切断位置変更方法。
【請求項２】
複数の切断刃を有するカッター装置をウェブの走行経路中に配置してウェブを所定幅に切断するスリッターであって、前記カッター装置は、スリットすべきウェブの走行方向に直交する向きの回転軸を有し、その回転軸の周りに回転軸と平行でかつ平行方向に移動可能な状態で４つのスライド板を保持してなる四角柱状のスライド板保持具と、各スライド板にそれぞれが移動可能な状態で取り付けられた複数の切断刃保持具とを備え、切断刃の数と間隔が異なるように配置したスライド板を４つ用いることにより、それぞれ異なるパターンで切断刃を並べた４つの切断列が回転軸の回りに配置されており、カッター装置に取り付けられた複数の切断刃は回転軸の回動によりウェブに挿脱可能になっていることを特徴とするスリッター。
【発明の詳細な説明】
【技術分野】
【０００１】
本発明は、用紙、フィルム等のウェブを走行させながら所定の幅に切断するスリッターの技術分野に属し、特に、複数の切断刃をウェブの走行経路中に入れて溝切りや空中切りを行うレザーカット方式のスリッターに関するものである。
【背景技術】
【０００２】
従来、用紙やフィルム等のウェブを所定の幅に切断するスリッターとしては、切断刃を用いて溝切りや空中切りを行うレザーカット方式と、２枚の回転丸刃を用いてウェブを挟み込むように切断するシェアカット方式とがある。このうち、レザーカット方式では、スリットされるウェブの走行方向と直角な方向に支持軸が配置され、その支持軸上に切断刃を備えた複数の刃ホルダーが取り付けられており、この刃ホルダーに取り付けた切断刃をウェブの走行経路中に入れて溝切りや空中切りを行う。
【０００３】
【特許文献１】実開平５−４９２９５号公報
【特許文献２】特開２０００−１７６８７８号公報
【特許文献３】特開２００７−３１９９４１号公報
【発明の開示】
【発明が解決しようとする課題】
【０００４】
一般に、このようなスリッターにおいて切断位置を変更するに際しては、手作業により切断刃保持具の移動と固定を行う必要がある。この場合、切断刃保持具一つ当たりの移動及び固定作業は数十秒で完了するが、切断する列数が多いほど作業回数は増えることになるため、切断する列数によっては、その作業時間は数分に及ぶ場合がある。
【０００５】
本発明は、このような事情に鑑みてなされたものであり、その目的とするところは、切断位置の変更作業に要する時間を短縮できるスリッターの切断位置変更方法を提供し、併せてそれに使用するスリッターを提供することにある。
【課題を解決するための手段】
【０００６】
上記の目的を達成するため、本発明に係るスリッターの切断位置変更方法は、複数の切断刃を有するカッター装置をウェブの走行経路中に配置してウェブを所定幅に切断するスリッターの切断位置を変更する方法であって、それぞれ異なるパターンで切断刃を並べた４つの切断列を回転軸の周りに配置してなるカッター装置を使用し、各切断列の切断刃を回転軸の回動によりウェブに挿脱可能としておき、目的の切断列をウェブ面に向けるようにカッター装置の回転軸を回動させることにより切断位置の変更を行うようにしたことを特徴とする。
【０００７】
また、本発明のスリッターは、複数の切断刃を有するカッター装置をウェブの走行経路中に配置してウェブを所定幅に切断するスリッターであって、前記カッター装置は、スリットすべきウェブの走行方向に直交する向きの回転軸を有し、その回転軸の周りに回転軸と平行でかつ平行方向に移動可能な状態で４つのスライド板を保持してなる四角柱状のスライド板保持具と、各スライド板にそれぞれが移動可能な状態で取り付けられた複数の切断刃保持具とを備え、切断刃の数と間隔が異なるように配置したスライド板を４つ用いることにより、それぞれ異なるパターンで切断刃を並べた４つの切断列が回転軸の回りに配置されており、カッター装置に取り付けられた複数の切断刃は回転軸の回動によりウェブに挿脱可能になっていることを特徴とする。
【発明の効果】
【０００８】
本発明によれば、スリッターの切断位置変更に際し、周りに４パターンの切断列を有するカッター装置を回転軸の周りで回動させ、その中から所望の切断列を選択すればよいことから、現状の切断刃保持具の移動と固定を行うやり方と比較して、切断位置変更のための作業時間を大幅に短縮することが可能となる。
【発明を実施するための最良の形態】
【０００９】
以下、本発明の実施形態について詳細に説明する。
【００１０】
図１は本発明の実施形態に係るスリッターの概略構成図である。同図において１はスリットされる用紙やフィルムなどのウェブ、２はウェブ１を繰り出す原反ロール、３はウェブ１を搬送するガイドローラ、４はウェブ１をスリットする切断刃５を備えたカッター装置、６は所定幅に切断されたウェブ１を巻き取った巻取ロールであり、原反ロール２から引き出されたウェブ１は、ガイドローラ３で搬送されながら、ウェブ１の幅方向に並んだ複数の切断刃５によって所定幅にスリットされ、巻取ロール６を構成するように巻き取られる。ここで、カッター装置４には複数の切断刃５が取り付けられており、巻取ロール６に巻き取られるウェブ１の幅はそれら切断刃５の位置により決まる。
【００１１】
図２はカッター装置の側面図、図３は図２のカッター装置の一部を示す説明用の斜視図である。
【００１２】
カッター装置４は、スリットすべきウェブの走行方向に直交する向きの回転軸１１を有している。そして、その回転軸１１の周りを囲むようにして、回転軸１１と平行でかつ平行方向に移動可能な状態で４つのスライド板１２を保持してなるスライド板保持具１３が一体的に設けられている。スライド板保持具１３は、四角柱状の基部１３ａからＬ型部材１３ｂが突出した形状で、それによって図示の如く４面それぞれに対向する溝を有しており、スライド板１２はその溝に案内されるとともに、所定の位置でネジ等の固定手段によりスライド板保持具１３に対して固定されるようになっている。なお、便宜上、図３では回転軸方向の向う側を省略して図示するとともに、スライド板１２は１つのみを図示している。
【００１３】
スライド板保持具１３の溝に嵌入されるスライド板１２には、それぞれが移動可能な状態で複数の切断刃保持具１４が取り付けられ、各切断刃保持具１４にはそれぞれ切断刃５が取り付けられている。図４に示すように、スライド板１２はレール状のガイド部１２ａを有し、切断刃保持具１４の底部にはそのガイド部１２ａに嵌まる凹部が設けられており、切断刃保持具１４はガイド部１２ａに沿って移動できるとともに、所定の位置でネジ等の固定手段によりスライド板１２に対して固定されるようになっている。切断刃５としては通常レザー刃が用いられるが、その形状は特に指定されるものではない。また、切断刃保持具１４は２枚の板部材の間に切断刃５を挟み込み、片方の板部材を締め付けるといった一般的なものでよく、それ以外の保持具でも構わない。
【００１４】
このように、スライド板１２はスライド板保持具１３に対して移動可能であり、切断刃保持具１４はスライド板１２に対して移動可能になっている。したがって、特定の幅のみを変更する場合は、図５（ａ）から図５（ｂ）に示すように、スライド板１２に対して切断刃保持具１４を移動させることで対応でき、また、切断幅を維持して切断位置を変更する場合は、図６（ａ）から図６（ｂ）に示すように、スライド板保持具１３に対してスライド板１２を移動させることで対応できる。
【００１５】
カッター装置４は上記のように構成してあるので、切断刃５の数や間隔が異なるように配置したスライド板１２を４つ用意しておけば、回転軸１１の周りに４パターンの切断列を配置することができる。スライド板保持具１３が保持するスライド板１２の数は通常４〜６であるが、それ以外でも構わない。スライド板保持具１３が保持するスライド板１２の数は通常４〜６であるが、それ以外でも構わない。
【００１６】
図７に異なるパターンで切断刃を並べた切断列を例を示す。図７（ａ）では３つの切断刃５が等間隔で配置され、図７（ｂ）では４つの切断刃５が等間隔で配置され、図７（ｃ）では５つの切断刃５が等間隔で配置され、図７（ｄ）では６つの切断刃５が等間隔で配置されている。例えば、図２のカッター装置４における４つのスライド板１２にそれぞれこの図７（ａ）〜（ｄ）のパターンで切断刃５を取り付けておけば、目的の切断列をウェブ面に向けるように回転軸１１を回動させることで、スリット品目の段取りを完了させることができる。
【００１７】
以上、本発明の実施の形態について詳細に説明してきたが、本発明によるスリッターは、上記実施の形態に何ら限定されるものではなく、本発明の趣旨を逸脱しない範囲において種々の変更が可能であることは当然のことである。
【００１８】
例えば、スライド板については、ボールネジ等を利用することで、自動化を図ることも可能である。
【図面の簡単な説明】
【００１９】
【図１】本発明の実施形態に係るスリッターの概略構成図である。
【図２】カッター装置の側面図である。
【図３】図２のカッター装置の一部を示す説明用の斜視図である。
【図４】図３のカッター装置におけるスライド板と切断刃保持具を示す説明用の斜視図である。
【図５】切断刃の幅を変更する様子を示す説明図である。
【図６】切断幅を維持して切断位置変更する様子を示す説明図である。
【図７】異なるパターンで切断刃を並べた切断列の例を示す説明図である。
【符号の説明】
【００２０】
１  ウェブ
２  原反ロール
３  ガイドローラ
４  カッター装置
５  切断刃
６  巻取ロール
１１  回転軸
１２  スライド板
１２ａ  ガイド部
１３  スライド板保持具
１３ａ  基部
１３ｂ  Ｌ型部材
１４  切断刃保持具
【図１】
0005187620.tif 000002
【図２】
0005187620.tif 000003
【図３】
0005187620.tif 000004
【図４】
0005187620.tif 000005
【図５】
0005187620.tif 000006
【図６】
0005187620.tif 000007
【図７】
0005187620.tif 000008